(57)【特許請求の範囲】
【請求項１】
室外に連絡させる単一の室外吸込口と室内に連絡させる複数の室内吹出口を形成した外殻内に、前記室外吸込口から前記室内吹出口に向う空気流を形成する送風機を組込み、この送風機の吹出口側に空気を清浄化する空気清浄フィルターを設けた換気装置において、前記室内吹出口の任意のものを大きい風量配分とし、他の室内吹出口をそれより小風量の風量配分とし、大きい風量配分の前記室内吹出口を前記空気清浄フィルターの上流側に設け、他の前記室内吹出口を前記空気清浄フィルターの下流側に設けた換気装置。
【請求項２】
請求項１に記載の換気装置であって、大きい風量配分の室内吹出口の通風面積を調整できるダンパーを設け、別設の排気送風装置に連動させた換気装置。
【請求項３】
請求項１に記載の換気装置であって、外殻内に送風機の吹出口側と吸込側とを離隔する隔壁を設け、この隔壁の前記外殻の内側面側を前記送風機側に曲げ込み、大きい風量配分の室内吹出口を前記隔壁の曲げ込みにかかる部分に設け、小風量配分の室内吹出口を前記隔壁に対向して設けた換気装置。
【請求項４】
請求項１〜請求項３までのいずれかに記載の換気装置であって、外殻に取付けのための取付金具を掛止める切欠部を、外殻の上下又は左右に間隔をおいて複数設けるとともに、前記取付金具の外殻に当る掛止部を有する平面部を、いずれの前記切欠部への前記掛止部の掛止めによっても他の前記切欠部を閉止できる広さにした換気装置。
【発明の詳細な説明】
【０００１】
【発明の属する技術分野】
本発明は、建物の各間仕切り空間に外気を供給して建物全体を給気により換気する換気装置に関するものである。
【０００２】
【従来の技術】
高気密高断熱の建物が普及する中で、建物全体を計画的に換気する換気に関する技術開発も進行している。例えば、排気による換気については、建物のサニタリーゾーン等に排気用の換気装置を設置し、外部に臨む給気口から清浄度の望まれる度合いの高い部屋（本明細書では断りが無い限り室と同義語として用いることとする）から順にサニタリーゾーンに至る圧力勾配を形成し、サニタリーゾーンにおいて一括して建物外に排気するような換気システムが提唱されている。
【０００３】
また、給排気による換気に関しては、特開平１１―２１１１８１号公報に示されているような換気装置が開発されている。これは、厨房排気系統とサニタリー排気系統により、建物の各部屋の空気を室外へ排気し、各部屋には給気送風機とマルチ分岐ボックスにより外気を各部屋に必要に応じて給気するようにしたものである。マルチ分岐ボックスには各部屋にダクトを通じて給気するための複数の接続口やこれを開閉するシャッターが設けられ、給気送風機から送込まれる外気を各部屋に必要に応じて給気することができる。そして、マルチ分岐ボックスに空気清浄フィルターを組込むことにより各部屋に給気する外気を清浄化することもできる。
【０００４】
【発明が解決しようとする課題】
上記した従来の換気装置において、室内へ新鮮な外気を供給する系統に関しては、給気送風機やマルチ分岐ボックスといった主要機器をそれぞれ建物の天井裏等に取付けなければならないうえ、ダクト配管も複雑であり、施工が面倒で費用も嵩むといった問題点がある。
【０００５】
本発明は、係る従来の問題点を解決するためになされたものであって、その課題とするところは、施工性が良く費用も抑制できる給気に関する換気装置を得ることであり、その装置に大風量の給気を要する部屋への給気の分配を効果的に行いうる機能を付与することであり、その装置の取付性の向上や機能の向上、さらには小型化を推進することである。
【０００６】
【課題を解決するための手段】
前記課題を達成するために請求項１の発明は、室外に連絡させる単一の室外吸込口と室内に連絡させる複数の室内吹出口を形成した外殻内に、室外吸込口から室内吹出口に向う空気流を形成する送風機を組込み、送風機の吹出口側に空気を清浄化する空気清浄フィルターを設けた換気装置において、室内吹出口の任意のものを大きい風量配分とし、他の室内吹出口をそれより小風量の風量配分とし、大きい風量配分の室内吹出口を空気清浄フィルターの上流側に設け、他の室内吹出口を空気清浄フィルターの下流側に設ける手段を採用する。
【０００７】
前記課題を達成するために請求項２の発明は、請求項１に係る前記手段における大きい風量配分の室内吹出口の通風面積を調整できるダンパーを設け、別設の排気送風装置に連動させる手段を採用する。
【０００８】
前記課題を達成するために請求項３の発明は、請求項１に係る前記手段における外殻内に送風機の吹出口側と吸込側とを離隔する隔壁を設け、隔壁の外殻の内側面側を送風機側に曲げ込み、大きい風量配分の室内吹出口を隔壁の曲げ込みにかかる部分に設け、小風量配分の室内吹出口を隔壁に対向して設ける手段を採用する。
【０００９】
前記課題を達成するために請求項４の発明は、請求項１〜請求項３までのいずれかに係る前記手段における外殻に取付けのための取付金具を掛止める切欠部を、外殻の上下又は左右に間隔をおいて複数設けるとともに、取付金具の外殻に当る掛止部を有する平面部を、いずれの切欠部への掛止部の掛止めによっても他の切欠部を閉止できる広さにする手段を採用する。
【００１６】
【発明の実施の形態】
実施の形態１．
図１〜図６によって示す本実施の形態は、建物の各間仕切り空間である部屋に外気を供給して建物全体を給気により換気する、特に高気密高断熱住宅に適した給気に係る換気装置に関するものである。この換気装置１は、六面体の箱形に形成された外殻２を備えている。この外殻２の一側には室外に連絡させる単一の室外吸込口３が形成され、対向側には横一列に室内に連絡させる複数（図示のものは四個）の室内吹出口４が形成されている（図１参照）。外殻２内は室内吹出口４が並ぶ側部近くにおいて隔壁５により室外吸込口３側と室内吹出口４側に離隔され、隔壁５の室外吸込口３側に給気送風機６が組付けられている。隔壁５は、その外殻２の内側面に当る側が給気送風機６側に図１に示すように曲げ込まれ、この隔壁５の曲込み部７にかかる外殻２部分に、もう一つの室内吹出口８が形成されている。従って、室内吹出口４，８は本実施の形態では五個備えられ、五部屋に対して給気を行うことができる。
【００１７】
給気送風機６は、その吸込口が室外吸込口３に臨み、吹出口９が隔壁５の中央に設けられた開口部に臨んで組付けられていて、室外吸込口３から室内吹出口４，８に向う外気による空気流を形成する。給気送風機６の吹出口９は、横一列に並ぶ室内吹出口４に対向し、吹出口９の臨む隔壁５と、横一列に並ぶ室内吹出口４との間には空気を清浄化する空気清浄フィルター１０が着脱可能に縦断形態に装着されている（図１，図２参照）。隔壁５の曲込み部７に臨む外殻２に形成された一つの室内吹出口８は、空気清浄フィルター１０より上流側に位置し、空気清浄フィルター１０を通過しない空気流が送込まれることになる。
【００１８】
横一列の各室内吹出口４はいずれも開口面積が同じに形成され、外殻２の側壁に形成されたチャンバー１１に臨んで開口していて、ダクトを接続するための接続口１２が取付けられている。もう一つの室内吹出口８には、電動ダンパー１３を組込んだダクト接続口１４が取付けられている。この電動ダンパー１３は、図５に示す厨房設備のレンジフードファン等の排気送風装置１５に連動する構成が採られ、排気送風装置１５に連動して当該室内吹出口８を全閉から全開までの間でその通風面積を調節する。
【００１９】
外殻２の側面の略四隅部には、図３及び図４に示すように換気装置１を天井裏等に取付けのための取付金具１６が設けられている。外殻２の当該部には取付金具１６を掛止める切欠部１７が上下（左右でもよい）に間隔をおいて複数設けられている。取付金具１６は外殻２に当てる平面部１８にフック状態の掛止部１９を形成し、平面部１８の一端側を略水平に曲げて取付部２０を構成したＬ字状の金具で、取付部２０にはアンカーボルト等（図示しない）を通す防振ゴム２１付きの取付孔が設けられている。
【００２０】
平面部１８の平面積は、外殻２の四隅部に位置するものについて、それらのうちのいずれの切欠部１７への掛止部１９の掛止めによっても他の使わない切欠部１７を閉止できる広さに構成されている。これにより、使わない切欠部１７を風漏れしないように封止する必要もなく、例えば、図３に示すように下側の切欠部１７に取付金具１６を掛止めてネジ固定することにより、アンカーボルトによって天井裏に吊り支持させて取付けることができ、図４に示すように上側の切欠部１７に取付金具１６を掛止めてネジ固定することにより建物の壁面や床面に取付ボルトにより直接取付けることもでき、施工の自由性が増す。
【００２１】
この換気装置１は、図５に示すように建物の天井裏等に取付けられ、室外吸込口３をダクト２２により室外（多くは屋外）に連絡させ、一列に並んだ室内吹出口４の接続口１２にダクト２２を接続して居間や寝室、浴室といった建物の間仕切りによる各空間である部屋２３にそれぞれ連絡させ、ダクト接続口１４にダクト２２を接続して厨房２４に連絡させることにより、建物の各部屋２３及び厨房２４の給気による換気に寄与するものとなる。
【００２２】
給気送風機６を運転させると、新鮮な外気がダクト２２を通じて室外吸込口３から吸込まれ、給気送風機６の吹出口９から吹出される。ダクト接続口１４の電動ダンパー１３は厨房２４の排気送風装置１５に連動しているため、排気送風装置１５が停止していれば、当該室内吹出口８は電動ダンパー１３により閉止されている。従って、吹出口９から吹出された外気は空気清浄フィルター１０を通過し、清浄化されてチャンバー１１に至り、チャンバー１１において各室内吹出口４に定風量配分されて各部屋２３に必要な量の給気がそれぞれなされる。
【００２３】
厨房２４において調理等が行われ排気のために排気送風装置１５が、例えば弱運転されると、電動ダンパー１３が動作し半開状態になる。これにより、吹出口９からの外気は空気清浄フィルター１０側と一つの室内吹出口８側とに分配されて流れ、ダクト２２を通じて厨房２４へも中程度の風量で給気が行われ、厨房２４の排煙等を速やかにし、その空気環境を保全する。排気送風装置１５が、強運転されると、電動ダンパー１３が動作し全開状態になる。これにより、吹出口９からの外気は空気清浄フィルター１０側と一つの室内吹出口８側とに分配されて流れ、ダクト２２を通じて厨房２４へ大風量で給気が行われ、厨房２４の排煙等を迅速にしその空気環境を保全する。厨房２４への給気は、他の部屋２３と異なり、調理に伴いしばしば多量の給気が必要となる。室内吹出口８はこれに応えるためのものである。
【００２４】
この換気装置１では厨房２４に連絡する室内吹出口８は、空気清浄フィルター１０の上流側にあり空気清浄フィルター１０での圧力損失もなく分流させない構成のため、大きい風量配分となり、他の室内吹出口４はそれより小風量の定風量配分となる。電動ダンパー１３を組込んだダクト接続口１４は、取付け側の平面積が広くなり、その分外殻２の寸法を大きく採る必要があるが、本実施の形態では、隔壁５を直壁とせず両端側を給気送風機６側に曲げ込んでいるため、一つの室内吹出口８を外殻２における給気送風機６側に寄せて形成でき、外殻２の寸法を大きくしなくても済んでいる。なお、一つの室内吹出口８は取付場所の状況に応じ対向側にも開設することができるように構成され、ダクト配管がし易いものとなっている（図１参照）。
【００２５】
本換気装置１は、一台で外気流の形成、清浄化、分配が可能なため、施工し易く設備費も少なくて済む。ダクト配管についても数種の機能機器を接続しなくても済むため単純化でき、ダクト配管についての施工性も向上する。空気清浄フィルター１０の保守点検は、一箇所において行うことができ各部屋２３毎にしなくてもよいので扱い易い。なお、厨房２４への室内吹出口８と他の部屋２３に対する室内吹出口４との風量配分は、図６に示すように厨房２４への室内吹出口８の開口面積を広くとることによっても実現できる。
【００２６】
実施の形態２．
図７と図８によって示す本実施の形態は、実施の形態１で示した換気装置１における空気清浄フィルター１０を室外吸込口３近傍に設けたものであり、これ以外の基本構成は実施の形態１のものと同じである。従って、実施の形態１のものと同じ部分については実施の形態１のものと同じ符号を用いそれらについての説明は省略する。
【００２７】
本実施の形態の換気装置１は、空気清浄フィルター１０が給気送風機６の上流部に設けられている。この構成により厨房２４へも清浄な外気の給気ができ、空気清浄フィルター１０の保守点検も一箇所でできる。空気清浄フィルター１０については、図８に示すように換気装置１には組込まず、個々の部屋２３や厨房２４の給気グリル内に装着するようにしてもよい。この場合、個々の部屋２３の空気清浄フィルター１０を保守点検しなくてはならなくなるが、その頻度は一括して清浄化するフィルター構成より少なくなる。
【００２８】
実施の形態３．
図９によって示す本実施の形態は、実施の形態１や実施の形態２で示した換気装置１における給気送風機６を、外殻２に対しその吸込み側が室外吸込口３に向くように斜めに組付けたものであり、これ以外の基本構成は実施の形態１や実施の形態２のものと同じである。従って、実施の形態１や実施の形態２のものと同じ部分については同じ符号を用いそれらについての説明は省略する。
【００２９】
本実施の形態の換気装置１は、給気送風機６が、外殻２に対しその吸込側が室外吸込口３に向くように水平から４５度までの範囲で斜めに組付けられている。この構成を採用することにより、給気送風機６の吸込口への気流の屈折角度と、吹出口９から室内吹出口４への気流の屈折角度を小さくでき、送風効率の改善と騒音の低減が推進できる。また、給気送風機６のモーター２５を外殻２から突出させず、外殻２内に収め込むことも可能になり、装置の薄形化を図ることもできる。
【００３０】
【発明の効果】
請求項１の発明によれば、施工性が良く、費用も抑制できる給気に関する換気装置が得られ、部屋の特質に応じた給気配分で換気を行うことができる。
【００３５】
請求項２の発明によれば、請求項１に係る前記効果とともに風量配分の多い室内吹出口の風量調節が可能になる。
【００３７】
請求項３の発明によれば、請求項１に係る前記効果とともに装置の小型化を推進できる。
【００３８】
請求項４の発明によれば、請求項１〜請求項３までのいずれかに係る前記効果とともに装置の取付けに関する自由度が増す。
【図面の簡単な説明】
【図１】  実施の形態1の換気装置を示す斜視図である。
【図２】  実施の形態1の換気装置を示す側面構成図である。
【図３】  実施の形態1の換気装置の外殻と取付金具の関係を示す平面図と側断面図である。
【図４】  実施の形態1の換気装置の外殻と取付金具の関係を示す平面図と側断面図である。
【図５】  実施の形態1の換気装置の適用例を示す構成図である。
【図６】  実施の形態1の他の換気装置を示す斜視図である。
【図７】  実施の形態２の換気装置を示す斜視図である。
【図８】  実施の形態２の他の換気装置を示す斜視図である。
【図９】  実施の形態３の換気装置を示す側面構成図である。
【符号の説明】
１  換気装置、  ２  外殻、  ３  室外吸込口、  ４  室内吹出口、  ５  隔壁、  ６  給気送風機、  ７  曲込み部、  ８  室内吹出口、  １０  空気清浄フィルター、  １３  電動ダンパー、  １６  取付金具、  １７  切欠部、  １８  平面部、  １９  掛止部、  ２３  部屋、  ２４  厨房。
【図１】
0003736272.tif 000002
【図２】
0003736272.tif 000003
【図３】
0003736272.tif 000004
【図４】
0003736272.tif 000005
【図５】
0003736272.tif 000006
【図６】
0003736272.tif 000007
【図７】
0003736272.tif 000008
【図８】
0003736272.tif 000009
【図９】
0003736272.tif 000010